(57)【要約】【課題】温風暖房と輻射暖房を簡単に切り替えられるようにした暖房機において、輻射暖房運転時には循環流を形成し、使用者が気流感を感じない状態でマイナスイオンを効率よく多量に発生させ室内環境を高品位に保ちつつ、室内全体も暖房することのできる快適性の高い暖房装置の実現を目的としたものである。【解決手段】温風暖房と輻射暖房を切り替える風路切替手段３２を有し、輻射暖房経路の途中にマイナスイオン発生手段３３を配設するとともに、マイナスイオン発生手段３３で発生したマイナスイオンが機器から放出されるまで、機器の電気的アース面に接触しない放出経路を形成する。【選択図】  図１
2004190999.tif 000002
【特許請求の範囲】
【請求項１】
高温ガス発生手段と、上記高温ガス発生手段からの高温ガスにより加熱される採熱面を有しその採熱した熱を輻射エネルギーとして発生する輻射体と、上記輻射体に高温ガスを導く輻射体加熱風路と、空気流を供給する送風機と、上記送風機からの空気流を本体冷却風路を介して輻射体加熱風路と機器筐体の間に流す輻射体冷却風路と、上記本体冷却風路の適所に送風機からの空気流を輻射体冷却風路側かあるいは温風吹出口側へ切り替える風路切替手段と、上記送風機からの空気流と高温ガス発生手段からの高温ガスを混合して温風として排出する温風吹出口とを備え、上記本体空気流路の適所にマイナスイオン発生手段を配設するとともに、前記マイナスイオン発生手段から発生したマイナスイオンが機器から放出されるまで、機器の電気的アース面に接触しないようにした暖房装置。
【請求項２】
マイナスイオン発生手段は、輻射体冷却風路の適所に配設してなる請求項１記載の暖房装置。
【請求項３】
送風機からの空気流を風路切替手段で温風吹出口側へ切り替えたときに、送風機からの空気流を輻射体冷却風路側へ一部流れるようにバイパス通路を設けるとともに、マイナスイオン発生手段をバイパス通路の下流側の輻射体冷却風路の適所に配設してなる請求項１または２項記載の暖房装置。
【請求項４】
マイナスイオン発生手段に送風機からの空気流が直接的に接触しないように、マイナスイオン発生手段の上流側の空気流路中に遮蔽体を配設して、マイナスイオン発生手段から発生したマイナスイオンをマイナスイオン発生手段の周囲を流れる送風機からの空気流で拡散させてなる請求項１〜３のいずれか１項記載の暖房装置。
【請求項５】
マイナスイオン発生手段の下流側の空気流路は、マイナスイオンを減少させないように、電気絶縁体で形成してなる請求項１〜４のいずれか１項記載の暖房装置。
【請求項６】
マイナスイオン発生手段の下流側の空気流路の表面は、マイナスイオンを減少させないように、絶縁性塗料を施すかあるいは絶縁性塗料をプレコートした塗装鋼板で形成してなる請求項１〜５のいずれか１項記載の暖房装置。
【発明の詳細な説明】
【０００１】
【発明の属する技術分野】
本発明は、室内空気と高温ガスを混合して暖房に用いる暖房装置に関するものである。
【０００２】
【従来の技術】
従来この種の温風暖房装置は図６に示すように、タンク１にカートリッジタンク２から燃料が供給され、同タンク２の燃料はポンプ３によって気化部４に供給される。そしてこの気化部４で気化されて燃料ガスとなり、ノズル５より水平方向に噴出される。このノズル５から噴出された燃料は、エジェクタ効果により一次空気を吸引しながら気化部４の下流側に離れて設けた混合管６内に噴出され、ここで混合して混合管６と一体のライン形状のバーナ部７に供給され燃焼される。生じた燃焼ガスは、バーナ部７の周囲を覆うように配設された燃焼筒８で上方へ導かれ、上記燃焼筒８を覆ったダクト９で送風機１０からの室内空気流と混合され、温風として排出されて暖房に利用される。そして、この温風暖房装置は室温と設定温度に応じて、ポンプ３の駆動周波数や印加電圧を変えて燃料供給量を自動調節するなど、制御器で予め決められたシーケンスで所定の動作をするように制御されている。このように、従来の温風暖房装置は、マイナスイオン発生手段を設けていないものが一般的であった。
【０００３】
しかしながら、近年、健康面に関する関心が高まり、温風吹出口に数種類のセラミックを混合して得られた複合セラミック等、マイナスイオン発生手段を取り付け、積極的にマイナスイオンを室内に供給するようにした機器が開発されている（特許文献１参照）。
【０００４】
【特許文献１】
特開平１１−２１１２３６号公報
【０００５】
【発明が解決しようとする課題】
上記のマイナスイオン発生手段を設けていない温風暖房装置は、主に冬場の室内の暖房に使われるため、締め切った部屋で長時間使われて、室内環境としては、室内温度は設定した温度に保たれるものの、空質という面ではあまりよくない場合の使われ方が多く、ホコリっぽかったり、炭酸ガス等が増え、つまり、室内の空気に含まれる、喫煙成分、臭気、ホルムアルデヒド等のＶＯＣ、その他の化学物質、一酸化炭素、二酸化炭素、オゾン、細菌・かび・ウイルスといった微生物の蓄積、またそして、マイナスイオンの減少などが生じるという悪環境での使われ方をなされる場面が多々想定された。
【０００６】
また、上述の従来例の暖房熱源を燃焼熱を用いたものにおいては、燃焼の炎プラズマ効果によって、多量のプラスイオンとマイナスイオンをほぼ同量発生するが、マイナスイオンは室内のホコリ等によって早く消失するので、結果的に、室内のプラスイオンとマイナスイオンのバランスが崩れ、プラスイオンとマイナスイオンのイオン比が大きくなり過ぎていまい、室内温度は設定した温度に保たれるものの、室内環境が悪化する心配があった。
【０００７】
また、温風吹出口にマイナスイオンを発生する物質を取り付けたものにあっては、所定量のマイナスイオンを確保しようとする場合、かなり大きな容積を必要とし温風吹出口全体にマイナスイオンを発生する物質を配設することになる。この場合、温風吹出口で風路抵抗が増大し適正な風量が確保できなくなったり、機器内の温度が異常に上昇する等の問題が発生する。
【０００８】
しかも  近年、暖房使用者の要求は、温風が巻き上げるダニの糞等のアレルゲン物質の問題もあり、温風を使った暖房では気流感が嫌われる傾向が生じてきた。
【０００９】
また、温風による暖房は、部屋が寒いときなどに一気に室温を立ち上げるときは有効であり、また、輻射による暖房は室内全体は暖まるのに時間がかかるが、気流感を感じない暖房として根強い人気がある。
【００１０】
そこで本発明は温風暖房と輻射暖房を簡単に切り替えられるようにするとともに、輻射暖房運転時には室内の空気の循環流を形成し、使用者が気流感を感じないで室内全体も暖房することのできる快適性の高い暖房装置の実現させたものにおいて、さらにマイナスイオンを効率よく多量に発生させ補充することで、プラスイオンとマイナスイオンのバランスを改善させ室内環境を高品位に保ちつつ室内全体も暖房することのできる快適性の高い暖房装置の実現を目的としたものである。
【００１１】
【課題を解決するための手段】
本発明は上記課題を解決するため、高温ガス発生手段と、上記高温ガス発生手段からの高温ガスにより加熱される採熱面を有しその採熱した熱を輻射エネルギーとして発生する輻射体と、上記輻射体に高温ガスを導く輻射体加熱風路と、空気流を供給する送風機と、上記送風機からの空気流を本体冷却風路を介して輻射体加熱風路と機器筐体の間に流す輻射体冷却風路と、上記本体冷却風路の適所に送風機からの空気流を輻射体冷却風路側かあるいは温風吹出口側へ切り替える風路切替手段と、上記送風機からの空気流と高温ガス発生手段からの高温ガスを混合して温風として排出する温風吹出口とを備え、上記本体空気流路の適所にマイナスイオン発生手段を配設するとともに、前記マイナスイオン発生手段から発生したマイナスイオンが機器から放出されるまで、機器の電気的アース面に接触しないようにしたものである。
【００１２】
上記発明によれば、送風機からの空気流を輻射体冷却風路側かあるいは温風吹出口側へ切り替える風路切替手段を配設しあるので、風路切替手段が送風機からの空気流を輻射体冷却風路側へ切り替えたときには輻射暖房運転となり、送風機からの空気流が輻射体冷却風路へ流れ、高温ガス発生手段からの高温ガスに下方へ流れる力が働かなり、その熱によるドラフトで高温ガスは上方へ流れ、輻射体加熱風路へ導かれるようになる。そして、高温ガスで輻射体の採熱面を高温とし、高温となった輻射体よりその採熱した熱を輻射エネルギーとして発生し、輻射暖房をすることができる。
【００１３】
また、風路切替手段が送風機からの空気流を温風吹出口側へ切り替えたときには温風暖房運転となり、送風機からの空気流が下方へ流れ高温ガス発生手段からの高温ガスを温風吹出口側へ導き、送風機からの空気流と高温ガス発生手段からの高温ガスを混合して、温風として温風吹出口からを排出する温風暖房をすることができる。
【００１４】
さらに、輻射暖房運転時には、輻射体と輻射体の取り付けられた機器筐体の間に送風機からの空気流を本体冷却風路を介して流す輻射体冷却風路を配設してあるので、高温となった輻射体からの熱からの機器筐体への熱伝導を低減することができ、安全性の高い、使い勝手に応じて暖房形態を自由に選択できる快適な暖房装置を提供することができる。この輻射体冷却風路に流す送風機からの空気流は機器本体の上に排出し、部屋の空気の循環流を形成するようにしてあるので、室内の空気が循環して部屋全体の空気が混ざり合い、輻射のみの暖房に比べ、部屋全体温度がほぼ均一となり暖房感が向上するとともに、循環流も機器の上方に排出するようにしてあるので、該機器の上方に気流感があるだけで、該機器の前方つまり使用者の居住空間には気流感がなく、気流による不快感を使用者が感じることがなくなり暖房感が向上する。
【００１５】
またそして、本体空気流路の適所にマイナスイオン発生手段を配設してあるので、締め切った部屋で長時間使われても、マイナスイオンが補充され、プラスイオンとマイナスイオンのイオン比が大きくなり過ぎるのを防止出来、室内環境を高品位に保ちつつ室内全体も暖房することができるようになる。
【００１６】
また、マイナスイオン発生手段から発生したマイナスイオンが該機器から放出されるまで、該機器の電気的アース面に接触しない位置にマイナスイオン発生手段を配設してあるので、マイナスイオン発生手段から発生したマイナスイオンが該機器から放出されるまで、該機器の電気的アース面に接触して減衰するのを防止出来、該機器から効率よく多量に放出することができ、快適性の高い暖房装置を提供することができる。
【００１７】
さらに、空気流路の適所にマイナスイオン発生手段を配設してあるので、マイナスイオン発生手段から放出されたマイナスイオンが温風によって、部屋全体まで到達させることが出来るようになり、マイナスイオンの効果がより効果的に発揮させることが出来るようになるとともに、送風手段も該機器の温風発生用とマイナスイオン用を兼ねることができ、安価で構成も簡単にすることができる。
【００１８】
【発明の実施の形態】
請求項１記載の暖房装置は、高温ガス発生手段と、上記高温ガス発生手段からの高温ガスにより加熱される採熱面を有しその採熱した熱を輻射エネルギーとして発生する輻射体と、上記輻射体に高温ガスを導く輻射体加熱風路と、空気流を供給する送風機と、上記送風機からの空気流を本体冷却風路を介して輻射体加熱風路と機器筐体の間に流す輻射体冷却風路と、上記本体冷却風路の適所に送風機からの空気流を輻射体冷却風路側かあるいは温風吹出口側へ切り替える風路切替手段と、上記送風機からの空気流と高温ガス発生手段からの高温ガスを混合して温風として排出する温風吹出口とを備え、上記本体空気流路の適所にマイナスイオン発生手段を配設するとともに、前記マイナスイオン発生手段から発生したマイナスイオンが機器から放出されるまで、機器の電気的アース面に接触しないようにしたものである。
【００１９】
そして、送風機からの空気流を輻射体冷却風路側かあるいは温風吹出口側へ切り替える風路切替手段を配設しあるので、風路切替手段が送風機からの空気流を輻射体冷却風路側へ切り替えたときには輻射暖房運転となり、送風機からの空気流が輻射体冷却風路へ流れ、高温ガス発生手段からの高温ガスに下方へ流れる力が働かなり、その熱によるドラフトで高温ガスは上方へ流れ、輻射体加熱風路へ導かれるようになる。そして、高温ガスで輻射体の採熱面を高温とし、高温となった輻射体よりその採熱した熱を輻射エネルギーとして発生し、輻射暖房をすることができる。
【００２０】
また、風路切替手段が送風機からの空気流を温風吹出口側へ切り替えたときには温風暖房運転となり、送風機からの空気流が下方へ流れ高温ガス発生手段からの高温ガスを温風吹出口側へ導き、送風機からの空気流と高温ガス発生手段からの高温ガスを混合して、温風として温風吹出口からを排出する温風暖房をすることができる。
【００２１】
さらに、輻射暖房運転時には、輻射体と輻射体の取り付けられた機器筐体の間に送風機からの空気流を本体冷却風路を介して流す輻射体冷却風路を配設してあるので、高温となった輻射体からの熱からの機器筐体への熱伝導を低減することができ、安全性の高い、使い勝手に応じて暖房形態を自由に選択できる快適な暖房装置を提供することができる。この輻射体冷却風路に流す送風機からの空気流は機器本体の上に排出し、部屋の空気の循環流を形成するようにしてあるので、室内の空気が循環して部屋全体の空気が混ざり合い、輻射のみの暖房に比べ、部屋全体温度がほぼ均一となり暖房感が向上するとともに、循環流も機器の上方に排出するようにしてあるので、該機器の上方に気流感があるだけで、該機器の前方つまり使用者の居住空間には気流感がなく、気流による不快感を使用者が感じることがなくなり暖房感が向上する。
【００２２】
またそして、本体空気流路の適所にマイナスイオン発生手段を配設してあるので、締め切った部屋で長時間使われても、マイナスイオンが補充され、プラスイオンとマイナスイオンのイオン比が大きくなり過ぎるのを防止出来、室内環境を高品位に保ちつつ室内全体も暖房することができるようになる。
【００２３】
また、マイナスイオン発生手段から発生したマイナスイオンが該機器から放出されるまで、該機器の電気的アース面に接触しない位置にマイナスイオン発生手段を配設してあるので、マイナスイオン発生手段から発生したマイナスイオンが該機器から放出されるまで、該機器の電気的アース面に接触して減衰するのを防止出来、該機器から効率よく多量に放出することができ、快適性の高い暖房装置を提供することができる。
【００２４】
さらに、空気流路の適所にマイナスイオン発生手段を配設してあるので、マイナスイオン発生手段から放出されたマイナスイオンが温風によって、部屋全体まで到達させることが出来るようになり、マイナスイオンの効果がより効果的に発揮させることが出来るようになるとともに、送風手段も該機器の温風発生用とマイナスイオン用を兼ねることが出来、構成も簡単にすることが出来安価とすることが出来る。
【００２５】
また、請求項２記載の暖房装置は、マイナスイオン発生手段は、輻射体冷却風路の適所に配設した構成としてある。
【００２６】
そして、マイナスイオン発生手段は、輻射体冷却風路の適所に配設した構成としてあるので、マイナスイオン発生手段の作動は風路切替手段が送風機からの空気流を輻射体冷却風路側へ切り替えた輻射暖房運転時に限られるが、マイナスイオン発生手段は燃焼排ガスの混ざらない室内空気流路に位置させることができ、その雰囲気温度は低く保たれ、マイナスイオン発生手段を形成する耐熱性等を心配することなく構成出来、また燃焼排ガスに混ざる燃料未燃油分やすすなどが付着することもなく、長期にわたって性能を安定して得ることが出来るようになる。
【００２７】
また、請求項３記載の暖房装置は、送風機からの空気流を風路切替手段で温風吹出口側へ切り替えたときに、送風機からの空気流を輻射体冷却風路側へ一部流れるようにバイパス通路を設けるとともに、マイナスイオン発生手段をバイパス通路の下流側の輻射体冷却風路の適所に配設した構成としてある。
【００２８】
そして、送風機からの空気流を風路切替手段で温風吹出口側へ切り替えたときに、送風機からの空気流を輻射体冷却風路側へ一部流れるようにバイパス通路を設けるとともに、マイナスイオン発生手段をバイパス通路の下流側の輻射体冷却風路の適所に配設してあるので、請求項２のマイナスイオン発生手段を室内空気流路に位置させる効果が得られる。またそれに加え、マイナスイオン発生手段は、風路切替手段の切替にかかわらず、つまり、両方の暖房運転でも作動させることことができ、室内空気流によって、部屋全体まで到達させることが出来るようになり、マイナスイオンの効果がより効果的に発揮させることが出来るようになる。
【００２９】
また、請求項４記載の暖房装置は、マイナスイオン発生手段に送風機からの空気流が直接的に接触しないように、マイナスイオン発生手段の上流側の送風機からの空気流路途中の適所に遮蔽体を配設して、マイナスイオン発生手段から発生したマイナスイオンをマイナスイオン発生手段の周囲を流れる送風機からの空気流で拡散させる構成としてある。
【００３０】
そして、マイナスイオン発生手段の上流側の送風機からの空気流路途中の適所に遮蔽体を配設して、マイナスイオン発生手段から発生したマイナスイオンをマイナスイオン発生手段の周囲を流れる送風機からの空気流で拡散させる構成としてあるので、マイナスイオン発生手段に送風機からの空気流が直接的に接触しないようにすることができ、送風機からの空気流に混入したホコリなどの異物がマイナスイオン発生手段に堆積して、マイナスイオン量の発生を妨げたり、あるいは、ほこりからの発火・発煙を生じることを防止することが出来、経年的に安定したマイナスイオン量の発生が得られると共に、安全性の高い機器を得ることが出来る。
【００３１】
また、請求項５記載の暖房装置は、マイナスイオン発生手段の下流側の空気流路は、マイナスイオンを減少させないように、電気絶縁体で形成した構成としてある。
【００３２】
そして、マイナスイオン発生手段の下流側の空気流路の壁面は、マイナスイオン量を減少させないように、電気絶縁体で形成してあるので、機器内部の設計的制約で、マイナスイオン発生手段の放出部が機器の奥まったところに位置しても、例えば下流側の空気流路が、該機器の電気的アース面に接続された壁で構成されても、その壁面を樹脂材料等の電気絶縁体で覆うなど、下流側の空気流路を電気絶縁体で形成することで、マイナスイオン発生手段から放出されたマイナスイオン量の減少を防止つつ、マイナスイオン発生手段の配置の設計的制約を大幅に緩和することが出来るようになる。
【００３３】
また、請求項６記載の暖房装置は、マイナスイオン発生手段の下流側の空気流路の表面は、マイナスイオンを減少させないように、電気絶縁性を保持させる処理例えば絶縁性塗料を施すかあるいは電気絶縁性を保持した材料例えば絶縁性塗料をプレコートした塗装鋼板で形成した構成としてある。
【００３４】
そして、マイナスイオン発生手段の下流側の空気流路の表面は、マイナスイオン量を減少させないように、電気絶縁性を保持させる処理例えば絶縁性塗料を施すかあるいは電気絶縁性を保持した材料例えば絶縁性塗料をプレコートした塗装鋼板で形成してあるので、請求項４の効果が簡単な構成で得られる。
【００３５】
つまり、機器内部の設計的制約で、マイナスイオン発生手段の下流側の空気流路が、該機器の電気的アース面に接続された壁で構成されても、その壁面を電気絶縁性を保持させる処理例えば絶縁性塗料を施すかあるいは電気絶縁性を保持した材料例えば絶縁性塗料をプレコートした塗装鋼板で形成するなど、下流側の空気流路の壁表面を電気絶縁性を持たせるようにして、マイナスイオン発生手段から放出されたマイナスイオンの減少を防止つつ、マイナスイオン発生手段の配置の設計的制約を大幅に緩和することが出来るようになる。
【００３６】
また、空気流路を電気絶縁体で形成する手段を、電気絶縁性を保持させる処理例えば絶縁性塗料を施すかあるいは電気絶縁性を保持した材料例えば絶縁性塗料をプレコートした塗装鋼板で形成するなど壁表面のみを電気絶縁性を持たせるようにすることで、請求項４の樹脂材料等の電気絶縁体で覆う構成の効果に加え、高耐熱性を得ることが出来、樹脂材料部分の変形や発火・発煙などの心配が無くなり、さらに、構成が簡単となり安価にすることができる。
【００３７】
【実施例】
以下、本発明の実施例について図面を用いて説明する。
【００３８】
（実施例１）
図１は本発明の実施例１の暖房装置の輻射暖房運転時の断面図であり、図２は温風暖房運転時の暖房装置の断面図、図３は同暖房装置の制御ブロック図である。
【００３９】
図１〜図３において、２１は高温ガス発生手段で、本実施例では燃料を燃焼させる燃焼部で構成し、この燃焼部２１で生じた燃焼排ガスを上方へ導くように配設した燃焼筒２２で覆われている。
【００４０】
２３は、輻射体加熱風路２４を介して流れる高温の燃焼排ガスをその採熱面２５で採熱し、その採熱した熱を輻射エネルギーとして発生する輻射体で、この輻射体２３には多数の貫通孔２６が配設してあり、この貫通孔２６を介して輻射体加熱風路２４からの高温の燃焼排ガスを輻射体２３の両面に流し、輻射体２３の両面が採熱面２５となるようにしてある。
【００４１】
２７は、輻射体加熱風路２４と機器筐体２８の間に空気流を流し、輻射暖房運転時に機器筐体２８への熱伝導を低減する輻射体冷却風路で、その流した空気流は機器本体の上部に配設した輻射体冷却風路２７の排出口２７Ａより、排出され、部屋の空気の循環流を形成するようにしてある。
【００４２】
２９は、輻射体冷却風路２７下方に位置させ、輻射体２３の下部に配置した温風吹出口で、燃焼部２１生じた燃焼排ガスと室内空気流を混合して温風として排出するようになっている。
【００４３】
３０は、室内空気を空気流として供給する送風機で、この空気流は本体冷却風路３１を介して風路切替手段３２で、輻射体冷却風路２７側かあるいは温風吹出口２９側へ切り替えられ、流れていくようになっている。
【００４４】
３３は、輻射体冷却風路２７の排出口２７Ａ近傍に配設したマイナスイオン発生手段で、送風機からの空気流を風路切替手段３２で温風吹出口２９側へ切り替えた場合にも、マイナスイオン発生手段の周囲に送風機３０からの空気流が流れるように、風路切替手段３２に温風吹出口２９側へ流れる空気流の一部を輻射体冷却風路２７に導くバイパス通路３４を配設してある。
【００４５】
また、マイナスイオン発生手段３３の周囲を流れる空気流上流側に遮蔽体３５を配設して、マイナスイオン発生手段３３から発生したマイナスイオンをマイナスイオン発生手段３３の周囲を流れる送風機からの空気流で拡散させるようにしてあり、マイナスイオン発生手段３３に送風機１８からの空気流が直接的に接触しないように構成してある。
【００４６】
３６は上記ポンプ１４や送風モータ１９を制御して燃焼部１６を燃焼させる制御部で、操作部から入力される運転条件信号に基づいてポンプ１４や燃焼部１６やマイナスイオン発生手段３３などを予め決められたシーケンスで制御するようになっている。
【００４７】
上記した構成において、風路切替手段３２が送風機３０からの空気流を輻射体冷却風路２７側へ切り替えたときには輻射暖房運転となり、送風機３０からの空気流が輻射体冷却風路２７へ流れ、燃焼部２１で生じた燃焼排ガスは、下方へ流れる力が働かなり、燃焼筒２２の上方へ流れていき、その熱によるドラフトでさらに上方へ流れ、輻射体加熱風路２４へ導かれるようになる。
【００４８】
そして、燃焼部２１で生じた高温の燃焼排ガスで輻射体の採熱面２５を高温とし、その採熱面２５で採熱した熱を輻射体２３より輻射エネルギーとして発生し、輻射暖房をすることができるようになる。
【００４９】
また、風路切替手段３２が送風機３０からの空気流を温風吹出口２９側へ切り替えたときには温風暖房運転となり、送風機３０からの空気流が燃焼筒２２の前面下方へ流れ燃焼部２１で生じた燃焼排ガスを温風吹出口側へ導き、送風機３０からの空気流と焼部２１で生じた燃焼排ガスを混合して、温風として温風吹出口２９からを排出する温風暖房をすることができるようになる。
【００５０】
ここで、輻射暖房運転時には、輻射体２３と輻射体２３の取り付けられた機器筐体２８の間に送風機３０からの空気流を本体冷却風路３１を介して流す輻射体冷却風路２７を配設してあるので、高温となった輻射体２３からの熱からの機器筐体２８への熱伝導を低減することができるようになる。
【００５１】
したがって、風路切替手段３２で送風機３０からの空気流を輻射体冷却風路２７側かあるいは温風吹出口２９側へ切り替えることによって、輻射暖房運転あるいは時は温風暖房運転に簡単に切り替えができるようになり、また広い輻射体２３が高温となりその伝熱によって機器筐体２８の温度が上がりやすい輻射暖房運転時において、輻射体冷却風路２７に送風機３０からの空気流を流すので、機器筐体２８の温度も低く保て、やけどや輻射体２３の近傍に配置してある部品の耐熱性の心配もなくなる。
【００５２】
つまり、風路切替手段３２が送風機３０からの空気流を輻射体冷却風路２７側へ切り替えられた輻射暖房運転時は、送風機３０からの空気流が輻射体冷却風路２７へ流れ、燃焼排ガスへ燃焼筒２２の排出口より下方にある温風吹出口２９へ流れる力が働かなり、その熱によるドラフトで燃焼排ガスは上方へ流れ、輻射体加熱風路２７へ導かれるようになる。
【００５３】
また、風路切替手段３２が送風機３０からの空気流を温風吹出口２９側へ切り替えた温風暖房運転時は、送風機３０からの空気流が温風吹出口２９へ流れ燃焼筒２２から排出される燃焼排ガスを燃焼筒２２の排出口より下方にある温風吹出口側へ導かれるようになる。
【００５４】
したがって、燃焼排ガスの上方へ流れようとするドラフト力と、送風機３０からの空気流でその燃焼排ガスを下方へ流そうとする力の上下方向のバランスを、高温ガス切り替え手段３２で切り替えることによって、スムーズに高温ガスの流れを制御できるようになり、輻射暖房運転と温風暖房運転を簡単に切り替えができるようになる。
【００５５】
また、輻射体冷却風路２７の排出口２７Ａを該機器の上部に配設し、風路切替手段３２が送風機３０からの空気流を輻射体冷却風路側２７へ切り替えられた輻射暖房運転時に、上記送風機３０からの空気を該機器の上方に排出し、部屋の空気の循環流を形成するようにしてあるので、室内の空気が循環して部屋全体の空気が混ざり合い、輻射のみの暖房に比べ、部屋全体温度がほぼ均一となり暖房感が向上する。
【００５６】
さらにまた、循環流も機器の上方に排出するようにしてあるので、該機器の上方に気流感があるだけで、該機器の前方つまり使用者の居住空間には気流感がなく、気流による不快感を使用者が感じることがなくなり暖房感が向上する。
【００５７】
そして、本体空気流路の適所つまり輻射体冷却風路２７にマイナスイオン発生手段３３を配設してあるので、締め切った部屋で長時間使われても、マイナスイオンが補充され、プラスイオンとマイナスイオンのイオン比が大きくなり過ぎるのを防止出来、室内環境を高品位に保ちつつ室内全体も暖房することができるようになる。
【００５８】
また、マイナスイオン発生手段３３から発生したマイナスイオンが該機器から放出されるまで、該機器の電気的アース面に接触しない位置にマイナスイオン発生手段３３を配設してあるので、マイナスイオン発生手段３３から発生したマイナスイオンが該機器から放出されるまで、該機器の電気的アース面に接触して減衰するのを防止出来、該機器から効率よく多量に放出することができ、快適性の高い暖房装置を提供することができる。
【００５９】
さらに、輻射体冷却風路２７にマイナスイオン発生手段３３を配設してあるので、マイナスイオン発生手段３３から放出されたマイナスイオンが循環流によって、部屋全体まで到達させることが出来るようになり、マイナスイオンの効果がより効果的に発揮させることが出来るようになるとともに、送風手段も該機器の温風発生用とマイナスイオン用を送風機３０で兼ねることが出来、構成も簡単にすることが出来安価とすることが出来る。
【００６０】
またそして、マイナスイオン発生手段３３は、輻射体冷却風路２７に配設した構成としてあるので、マイナスイオン発生手段３３は燃焼排ガスの混ざらない室内空気流路に位置させることができ、その雰囲気温度は低く保たれ、マイナスイオン発生手段３３を形成する耐熱性等を心配することなく構成出来、また燃焼排ガスに混ざる燃料未燃油分やすすなどが付着することもなく、長期にわたって性能を安定して得ることが出来るようになる。
【００６１】
また、送風機３０からの空気流が輻射体冷却風路２７を流れるのは、風路切替手段３２が送風機３０からの空気流を輻射体冷却風路２７側へ切り替えた輻射暖房運転時に限られるが、送風機３０からの空気流を風路切替手段３２で温風吹出口側へ切り替えたときに、送風機３０からの空気流を輻射体冷却風路２７側へ一部流れるようにバイパス通路３４を設けるとともに、マイナスイオン発生手段３３をバイパス通路３４の下流側の輻射体冷却風路２７の適所に配設してあるので、マイナスイオン発生手段３３の近傍には風路切替手段３２の切替にかかわらず両方の暖房運転でも流れるようになる。
【００６２】
つまり、マイナスイオン発生手段３３は、風路切替手段３２の切替にかかわらず、両方の暖房運転でも作動させることことができ、室内空気流によって、部屋全体まで到達させることが出来るようになり、マイナスイオンの効果がより効果的に発揮させることが出来るようになる。
【００６３】
そして、マイナスイオン発生手段３３の上流側の送風機３０からの空気流路途中の適所に遮蔽体３５を配設して、マイナスイオン発生手段３３から発生したマイナスイオンをマイナスイオン発生手段３３の周囲を流れる送風機３０からの空気流で拡散させる構成としてあるので、マイナスイオン発生手段３３に送風機３０からの空気流が直接的に接触しないようにすることができ、送風機３０からの空気流に混入したホコリなどの異物がマイナスイオン発生手段３３に堆積して、マイナスイオン量の発生を妨げたり、あるいは、ほこりからの発火・発煙を生じることを防止することが出来、経年的に安定したマイナスイオン量の発生が得られると共に、安全性の高い機器を得ることが出来る。
【００６４】
（実施例２）
図４は本発明の実施例２の暖房装置の要部断面図である。実施例１と同一部品は同一番号を付与して説明を省略する。
【００６５】
図４において、４１は、輻射体冷却風路２７の排出口２７Ａから離して輻射体冷却風路２７に設けたマイナスイオン発生手段で、輻射体冷却風路２７の排出口２７Ａより使用者が手を入れても触れないようにしてあり、マイナスイオン発生手段４１の周囲を流れる空気流上流側に遮蔽体４２を配設して、マイナスイオン発生手段４１から発生したマイナスイオンをマイナスイオン発生手段４１の周囲を流れる送風機３０からの空気流で拡散させるように構成してある。
【００６６】
４３は、マイナスイオン発生手段４１の下流側の空気流路の壁面を覆うように設けた電気絶縁体の樹脂材料で構成されたマイナスイオンカバ−で、マイナスイオン発生手段４１から発生したマイナスイオンが該機器の電気的アース面に接触しないようにしてあり、マイナスイオン量を減少させないようにしてある。
【００６７】
上記した構成において、設計的制約すなわちマイナスイオン発生手段４１には放電プラズマ方式や光電プラズマ方式など種々あるが、いずれの方法も、使用者が触れやすい位置に配置すると、マイナスイオン発生量が変化したり、使用者が感電する危険性を生じ、そのために、マイナスイオン発生手段４１を使用者が手を入れて触れない位置に配置しようとすると、どうしても、マイナスイオン発生手段４１の下流側の空気流路の壁面の部分に該機器の電気的アース面が位置してしまい、安全性とマイナスイオン発生手段４１の性能確保に対して制約を生じてしまう。
【００６８】
そこで、本実施例ではマイナスイオン発生手段４１の下流側の空気流路の壁面は、マイナスイオン量を減少させないように、電気絶縁体の樹脂材料で構成されたマイナスイオンカバ−４３で覆われているので、機器内部の設計的制約で、マイナスイオン発生手段４１の放出部が機器の奥まったところに位置してもマイナスイオンが該機器の電気的アース面に接触しないようになり、マイナスイオン発生手段４１から放出されたマイナスイオン量の減少を防止つつ、マイナスイオン発生手段４１の配置の設計的制約を大幅に緩和することが出来るようになる。
【００６９】
（実施例３）
図５は本発明の実施例３の暖房装置の要部断面図である。実施例１と同一部品は同一番号を付与して説明を省略する。
【００７０】
図５において、５１は、輻射体冷却風路２７の排出口５３Ａから離して輻射体冷却風路５３に設けたマイナスイオン発生手段で、輻射体冷却風路５３の排出口５３Ａより使用者が手を入れて触れないようにしてあり、マイナスイオン発生手段５１の周囲を流れる空気流上流側に遮蔽体５２を配設して、マイナスイオン発生手段５１から発生したマイナスイオンをマイナスイオン発生手段５１の周囲を流れる送風機３０からの空気流で拡散させるように構成してある。
【００７１】
また輻射体冷却風路５３および、排出口５３Ａを構成する材料はその表面が電気絶縁性を有する塗装鋼板で形成して、マイナスイオン発生手段５１から発生したマイナスイオンが該機器の電気的アース面に接触しないようにしてあり、マイナスイオン量を減少させないようにしてある。
【００７２】
上記した構成において、輻射体冷却風路５３および、排出口５３Ａを構成する材料はその表面が電気絶縁性を有する塗装鋼板で形成してあるので、マイナスイオン発生手段５１の下流側の空気流路の壁表面を電気絶縁性を有し、マイナスイオン発生手段５１から発生したマイナスイオンが該機器の電気的アース面に接触しないようになり、マイナスイオン発生手段５１から放出されたマイナスイオンの減少を防止つつ、マイナスイオン発生手段５１の配置の設計的制約を大幅に緩和することが出来るようになる。
【００７３】
また、空気流路を電気絶縁体で形成する手段を、電気絶縁性を保持させる処理すなわち電気絶縁性を有する塗装鋼板で形成してあるので、実施例２の樹脂材料等の電気絶縁体で覆う構成の効果に加え、高耐熱性を得ることが出来、樹脂材料部分の変形や発火・発煙などの心配が無くなり、さらに、構成が簡単となり安価にすることができる。
【００７４】
なお上記実施例では、高温ガス発生手段を燃料を燃焼させる燃焼部２１を有し、その燃焼ガスを用いたもので説明したが、これは燃料を燃焼させないものでもとく、また、実施例２のマイナスイオンカバ−４３は電気絶縁体の樹脂材料で構成したがこれは、セラミックなどの電気絶縁体であればよく、さらに、実施例３では、輻射体冷却風路５３全体を電気絶縁性を有する塗装鋼板で形成したが、これは、マイナスイオン発生手段５１の下流側の空気流路の壁面のみに電気絶縁性を保持させる処理例えば電気絶縁性を有する塗装を施してもよく、あるいは、電気絶縁性を有する塗装鋼板で覆ってもよく、その他各部の構成も本発明の目的を達成する範囲であればその構成はどのようなものであってもよい。
【００７５】
【発明の効果】
以上説明したように本発明によれば、送風機からの空気流を輻射体冷却風路側かあるいは温風吹出口側へ切り替える風路切替手段を配設しあるので、風路切替手段が送風機からの空気流を輻射体冷却風路側へ切り替えたときには輻射暖房運転となり、送風機からの空気流が輻射体冷却風路へ流れ、高温ガス発生手段からの高温ガスに下方へ流れる力が働かなり、その熱によるドラフトで高温ガスは上方へ流れ、輻射体加熱風路へ導かれるようになる。そして、高温ガスで輻射体の採熱面を高温とし、高温となった輻射体よりその採熱した熱を輻射エネルギーとして発生し、輻射暖房をすることができる。
【００７６】
また、風路切替手段が送風機からの空気流を温風吹出口側へ切り替えたときには温風暖房運転となり、送風機からの空気流が下方へ流れ高温ガス発生手段からの高温ガスを温風吹出口側へ導き、送風機からの空気流と高温ガス発生手段からの高温ガスを混合して、温風として温風吹出口からを排出する温風暖房をすることができる。
【００７７】
さらに、輻射暖房運転時には、輻射体と輻射体の取り付けられた機器筐体の間に送風機からの空気流を本体冷却風路を介して流す輻射体冷却風路を配設してあるので、高温となった輻射体からの熱からの機器筐体への熱伝導を低減することができ、安全性の高い、使い勝手に応じて暖房形態を自由に選択できる快適な暖房装置を提供することができる。この輻射体冷却風路に流す送風機からの空気流は機器本体の上に排出し、部屋の空気の循環流を形成するようにしてあるので、室内の空気が循環して部屋全体の空気が混ざり合い、輻射のみの暖房に比べ、部屋全体温度がほぼ均一となり暖房感が向上するとともに、循環流も機器の上方に排出するようにしてあるので、該機器の上方に気流感があるだけで、該機器の前方つまり使用者の居住空間には気流感がなく、気流による不快感を使用者が感じることがなくなり暖房感が向上する。
【００７８】
またそして、本体空気流路の適所にマイナスイオン発生手段を配設してあるので、締め切った部屋で長時間使われても、マイナスイオンが補充され、プラスイオンとマイナスイオンのイオン比が大きくなり過ぎるのを防止出来、室内環境を高品位に保ちつつ室内全体も暖房することができるようになる。
【００７９】
また、マイナスイオン発生手段から発生したマイナスイオンが該機器から放出されるまで、該機器の電気的アース面に接触しない位置にマイナスイオン発生手段の放出口を配設してあるので、マイナスイオン発生手段から発生したマイナスイオンが該機器から放出されるまで、該機器の電気的アース面に接触して減衰するのを防止出来、該機器から効率よく多量に放出することができ、快適性の高い暖房機を提供することができる。
【００８０】
さらに、空気流路の適所にマイナスイオン発生手段を配設してあるので、マイナスイオン発生手段から放出されたマイナスイオンが温風によって、部屋全体まで到達させることが出来るようになり、マイナスイオンの効果がより効果的に発揮させることが出来るようになる。
【図面の簡単な説明】
【図１】本発明の実施例１の暖房装置の輻射暖房運転時の断面図
【図２】同の温風暖房運転時の断面図
【図３】同暖房装置の制御ブロック図
【図４】本発明の実施例２における輻射暖房運転時の暖房装置の断面図
【図５】本発明の実施例３における輻射暖房運転時の暖房装置の断面図
【図６】従来の暖房装置の断面図
【符号の説明】
２１  燃焼部（高圧ガス発生手段）
２３  輻射体
２４  輻射体加熱風路
２５  採熱面
２７  輻射体冷却風路
２８  機器筐体
２９  温風吹出口
３０  送風機
３１  本体冷却風路
３２  風路切替手段
３３  マイナスイオン発生手段
３４  バイパス通路
３５  遮蔽体
【図１】
2004190999.tif 000003
【図２】
2004190999.tif 000004
【図３】
2004190999.tif 000005
【図４】
2004190999.tif 000006
【図５】
2004190999.tif 000007
【図６】
2004190999.tif 000008